(57)【要約】【課題】液体への屎尿の懸濁が容易で輸送性も高く、輸送後の屎尿の回収も容易な屎尿輸送システムを提供する。【解決手段】屎尿４０と、屎尿４０と相溶性のない液体媒体３０とを混合し該屎尿４０を破砕する破砕手段と、前記破砕手段１１による前記屎尿４０と前記液体媒体３０との混合液体３５を輸送する輸送手段１２と、前記輸送手段１２から輸送された前記混合液体３５を貯留するとともに該混合液体３５が静置されることで前記液体媒体４０と前記破砕された屎尿４０とに分離する一次貯留手段１３と、を備える屎尿輸送システム１０。【選択図】図１
2019181313.tif 000002
【特許請求の範囲】
【請求項１】
屎尿と、屎尿と相溶性のない液体媒体とを混合し該屎尿を破砕する破砕手段と、
前記破砕手段による前記屎尿と前記液体媒体との混合液体を輸送する輸送手段と、
前記輸送手段から輸送された前記混合液体を貯留するとともに該混合液体が静置されることで前記液体媒体と前記破砕された屎尿とに分離する一次貯留手段と、を備える屎尿輸送システム。
【請求項２】
前記液体媒体は、水及び油脂と相溶性がなく、水よりも沸点の低いフッ素液体である、請求項１の屎尿輸送システム。
【請求項３】
前記一次貯留手段において前記混合液体を加熱する加熱手段と、
前記混合液体のうち前記加熱手段によって気化した前記液体媒体及び前記屎尿中の水分による混合蒸気によって発電を行う発電手段と、
前記発電に供された後の前記混合蒸気を冷却する冷却手段と、
前記混合蒸気が前記冷却手段により冷却されて液化した前記液体媒体及び前記水分を貯留する二次貯留手段と、を備える、請求項２記載の屎尿輸送システム。
【請求項４】
前記二次貯留手段から前記液体媒体を前記破砕手段へ環流させる環流手段と、を備える請求項３記載の屎尿輸送システム。
【発明の詳細な説明】
【技術分野】
【０００１】
本発明は、屎尿を液体により輸送する屎尿輸送システムに関する。
【背景技術】
【０００２】
現在の下水処理では、人間一人の１回分の屎尿２００〜３００ｇに対して、毎回４〜１０ｋｇの真水を使用して汚物を遠方まで輸送することを可能としている。なお、「下水処理場が使用する電力使用量は、国内で消費される電力の約０．７％を占める」とされているが、これはウルグアイやジャマイカの年間電力使用量に匹敵するという（「いまさら訊けない下水道講座  ３４＜下水処理場の電力使用量＞」ＪＳ技術開発情報メールＮｏ．７７、２００８年４月１６日（https://www.jswa.go.jp/g/g5/g5m/mb/html/m77.html））。
【０００３】
一方、水を用いないエコロジカルなトイレとして屎尿をおがくずと混ぜて微生物によって屎尿を分解する仮設トイレ（バイオトイレ）も存在する。このようなバイオトイレでは、屎尿をおがくずと撹拌するために外部電力を用いてモータを介して撹拌機を駆動している。また、屎尿とおがくずの混合物は、適宜取り出す必要があり、メンテナンス性に課題がある。
【０００４】
これらの問題に対して、屎尿そのものから発電するシステムとして、屎尿などの発酵物の熱を熱電素子によって発電する発明（下記特許文献１）や、発酵物から発する熱を用いたランキン発電システム（下記特許文献２）や、発酵物をコンベヤー等で連続的に燃焼炉に輸送し燃焼熱で蒸気発電するシステム（下記特許文献３）などが提案されている。
【先行技術文献】
【特許文献】
【０００５】
【特許文献１】特開２０１６−２１３９０９号公報
【特許文献２】特開２０１５−６３９０８号公報
【特許文献３】特開２００９−１８３８３０号公報
【発明の概要】
【発明が解決しようとする課題】
【０００６】
従来から提案されている方法はいずれも、屎尿をおがくずなどと混合した固形物を対象としているため、輸送性が悪く遠方への輸送は困難である。特に、前記特許文献１及び特許文献２記載の発明では、固形物（たとえば、屎尿や堆肥）を輸送するという観点は考慮されておらず、当該固形物の発生する場所でしか当該固形物を利用した発電を行うことができない。特に、特許文献２記載の発明では、屎尿とおがくずの混ざり具合が均一になりにくく、発電効率も低い。
【０００７】
また、前記特許文献３記載の発明では、近距離の輸送であってもコンベアーのような搬送装置が必要となるため、装置が複雑化するとともに頻繁なメンテナンスが必要となる。
【０００８】
上記の課題に鑑み、本件発明は、液体への屎尿の懸濁が容易で輸送性も高く、輸送後の屎尿の回収も容易な屎尿輸送システムを提供することを課題とする。
【課題を解決するための手段】
【０００９】
請求項１に記載の屎尿輸送システムは、屎尿と、屎尿と相溶性のない液体媒体とを混合し該屎尿を破砕する破砕手段と、前記破砕手段による前記屎尿と前記液体媒体との混合液体を輸送する輸送手段と、前記輸送手段から輸送された前記混合液体を貯留するとともに該混合液体が静置されることで前記液体媒体と前記破砕された屎尿とに分離する一次貯留手段と、を備える。
【００１０】
破砕手段は、屎尿と、屎尿と相溶性のない液体媒体とを混合し撹拌することで該屎尿を破砕する。ここで、液体溶媒の性質として「屎尿と相溶性のない」とは、この液体溶媒に屎尿が懸濁することは可能であるが、溶解することはない、ということを意味している。この破砕手段としては、屎尿と液体溶媒との混合及び破砕を機械的に行うことのできる装置であれば、特にその種類を問わず使用できる。たとえば、ブレードにより屎尿を破砕して液体溶媒に懸濁することのできる撹拌機がこの破砕手段として使用可能である。屎尿が破砕手段により液体溶媒に対して混合及び破砕され、懸濁した状態の液体が、混合液体である。
【００１１】
輸送手段は、前記破砕手段による前記屎尿と前記液体媒体との混合液体を輸送する。この輸送手段としては、液状の物体を輸送することのできる手段であれば特にその種類を問わず使用できる。たとえば、ポンプがこの輸送手段として使用可能である。ポンプの種類としては、容積ポンプも使用可能であるが、遠心ポンプのような非容積ポンプを用いれば、輸送手段に加えて前記破砕手段の機能も兼ね備えさせることができる。
【００１２】
一次貯留手段は、前記輸送手段から輸送された前記混合液体を内部に貯留する。そして、貯留されている間に該混合液体が静置されることで、前記液体媒体と前記破砕された屎尿とが分離する。上述のとおり、液体媒体は屎尿とは相溶性がないため、混合液体を静置すれば速やかに互いに相分離が行われ、屎尿の相のみを液体媒体とは別に回収することも可能である。
【００１３】
請求項２に記載の屎尿輸送システムにおいては、前記液体媒体は、水及び油脂と相溶性がなく、水よりも沸点の低いフッ素液体である。
【００１４】
このフッ素液体とは、いわゆるフルオロカーボン（たとえば、フロリナートＦＣ７２（商品名、住友３Ｍ））であり、屎尿に含まれる水及び油脂とは相溶性がない。また、水より低比熱でかつ水より低沸点であるから、水よりも少ない熱量で気化する。この気化作用を利用して、輸送された混合液体から屎尿の相のみを回収することが可能となっている。前述のように、破砕手段により破砕された屎尿はフッ素液体に懸濁された状態で、ポンプのような輸送手段によって前記一次貯留手段まで輸送され、そこに貯留される。
【００１５】
なお、フルオロカーボンは水よりも密度が高いため、懸濁された屎尿からは重力により容易に相分離が行われる。すなわち、フルオロカーボンが下層をなし、屎尿が上層をなすことになる。
【００１６】
請求項３に記載の屎尿輸送システムは、前記一次貯留手段において前記混合液体を加熱する加熱手段と、前記混合液体のうち前記加熱手段によって気化した前記液体媒体及び前記屎尿中の水分による混合蒸気によって発電を行う発電手段と、前記発電に供された後の前記混合蒸気を冷却する冷却手段と、前記混合蒸気が前記冷却手段により冷却されて液化した前記液体媒体及び前記水分を貯留する二次貯留手段と、を備える。
【００１７】
加熱手段とは、前記一次貯留手段に対して外部からエネルギーを投入して、該一次貯留手段の内部で屎尿とフッ素液体とに互いに相分離している前記混合液体を加熱する手段である。ここで、投入されるエネルギー源については特に限定されるものではないが、たとえば、太陽熱や廃熱を利用することでエネルギーを有効活用できる。
【００１８】
発電手段は、前記混合液体のうち前記加熱手段によって気化した前記液体媒体及び前記屎尿中の水分による混合蒸気によって発電を行う。発電手段としては、蒸気によりタービンを回転させ、これによってジェネレータを回転させ発電する発電機が利用可能である。
【００１９】
ここで、前記一次貯留手段において前記混合液体が流入する側に逆止弁を設けるとともに、該一次貯留手段の内圧が所望の値に達した際に混合蒸気を前記発電手段の方向へ吐出するリリーフ弁を設けることで、前記加熱手段による加熱で前記液体媒体及び前記屎尿中の水分が気化して該一次貯留手段の内圧が高まった際に、該一次貯留手段の内容物が前記混合液体の流入方向へ逆流することなく、混合蒸気のみが発電手段の方向へ吐出される。
【００２０】
ここで、前述のとおり、前記液体媒体は水より低比熱かつ低沸点であるため、屎尿中の水分が気化する前に気化するが、そこからさらに水分が気化する温度にまで加熱を続けることで、屎尿中の水分も発電に利用することが可能となる。したがって、前記加熱手段には、大気圧中で水分が気化する温度である１００℃以上に加熱することが可能な装置が用いられる。
【００２１】
フッ素液体と屎尿中の水分とがそれぞれの沸点を超えるまで加熱されると、前記一次貯留手段の内圧が上昇し、リリーフ弁から間欠的に蒸気が吐出し、これが発電手段のタービンとジェネレータを回転させて発電が行われる。
【００２２】
なお、フッ素液体と屎尿中の水分とが全て気化して前記一次貯留手段から吐出された後は、加熱により乾燥した屎尿の固形成分が残留することになる。この固形成分は発電が行われるたびに前記一次貯留手段に蓄積されていくが、定期的に回収することが望ましい。なお、この固形成分は加熱により殺菌されており、衛生的な回収が可能である。回収された固形成分は、たとえば肥料や固体燃料として再利用することが可能である。なお、前記加熱手段として燃焼装置を用いる場合、その燃料としてこの固形成分を再利用することも可能である。
【００２３】
冷却手段は、前記発電に供された後の前記混合蒸気を冷却する。この冷却手段としては、熱交換器を使用することができる。冷却手段としての熱交換器は、前記混合蒸気が有する熱エネルギーを熱輸送媒体に受け渡すものであり、それにより該混合蒸気は熱エネルギーが奪われ再び液化する。冷却手段に受け渡された熱エネルギーは、たとえば暖房等の他の用途に利用することも可能であるが、前記加熱手段は廃熱を利用するものである場合、その熱源として利用することも可能である。
【００２４】
二次貯留手段は、前記混合蒸気が前記冷却手段により冷却されて液化した前記液体媒体及び前記水分を貯留する。この二次貯留手段の中で貯留された前記液体媒体及び前記水分は、静置されることで水相とフッ素液体の相とに相分離される。
【００２５】
請求項４に記載の屎尿輸送システムは、前記二次貯留手段から前記液体媒体を前記破砕手段へ環流させる環流手段と、を備える。この環流手段としては、前記輸送手段と同様に、たとえばポンプが利用可能である。この環流手段により、フッ素液体が再び破砕手段に環流してそこでまた屎尿と混合される。
【００２６】
なお、前記二次貯留手段の内部の水相は、屎尿に由来するものであるが、蒸発温度以上にまで加熱されたものが再度冷却により液化したものであるから、屎尿中の細菌や有機物などは混入していない程度の衛生状態を有するものである。よって、飲用への再利用はともかく、少なくとも工業用水や、トイレの水への再利用は十分可能である。
【発明の効果】
【００２７】
以上説明したように、本発明の屎尿輸送システムによれば、液体媒体によってで屎尿をせん断することができるため屎尿を細かく破砕することができる。また、液体媒体とともに流体として輸送することができるため。屎尿を遠方まで輸送することができる。さらに、屎尿と相溶性のない液体を用いるため重力で相分離し、輸送先で屎尿を容易に分離することができる。
【図面の簡単な説明】
【００２８】
【図１】本発明の第一の実施の形態に係る屎尿輸送システムを模式図で示す。
【図２】図１の屎尿輸送システムにおいて、一次貯留手段における混合液体の挙動を模式的に示す。
【図３】本発明の第二の実施の形態に係る屎尿輸送システムを模式図で示す。
【図４】本発明の第三の実施の形態に係る屎尿輸送システムを模式図で示す。
【発明を実施するための形態】
【００２９】
以下、本発明の実施の形態について図面を適宜参照して説明する。
【００３０】
（１）屎尿と液体媒体との相溶性
水及び油脂並びに屎尿とは相溶性のない液体媒体として、フロリナートＦＣ７２（商品名、住友３Ｍ）を用いることで、屎尿を液体中に拡散させることなく屎尿を破砕することが可能であることを破砕実験で確認した。実験条件は以下のとおりとした。
【００３１】
まず、実際の屎尿の代替物として、下記表１に示す組成の模擬便を準備した。
【００３２】
【表１】
2019181313.tif 000003
【００３３】
上記組成の模擬弁５ｇを、蓋付き広口瓶に入れた５０ｍＬのフロリナートＦＣ７２に投入し、激しくハンドシェイクした後に静置させて状態を確認する。また、比較実験として、フロリナートＦＣ７２の代わりに純水を用いて同様の実験を行った。
【００３４】
その結果、フロリナートＦＣ７２に投入した模擬便は、ハンドシェイクによって容易に破砕され、静止後すぐに、フロリナートＦＣ７２と分離することが認められた。
【００３５】
一方、純水に投入した模擬便は、ハンドシェイクによって水中に分散し、静置させても液体は混濁状態のままであった。
【００３６】
以上のことから、液体媒体としてフロリナートを用いることで、屎尿を破砕でき、かつ、容易に分離することができることが分かった。
【００３７】
（２）液体媒体の分離に必要なエネルギー
上記した液体媒体としてのフロリナートＦＣ７２で屎尿を混合液体として輸送した後で、この混合液体から屎尿由来の固形成分を分離する際には、フロリナートＦＣ７２を気化させる必要がある。その際に必要なエネルギーについて、屎尿の輸送媒体として水を用いた場合と対比させて以下に述べる。
【００３８】
例として、常温（２５℃）で屎尿６００ｇを１０Ｌの液体で輸送した後に、固形成分を得るために液体成分を蒸発させるために必要なエネルギーを計算する。なお、屎尿６００ｇは、糞便３００ｇ（うち８０重量％が水分と仮定する）及び尿３００ｇからなるものとする。
【００３９】
ここで、フロリナートＦＣ７２及び水の各種物性は下記表２に示すとおりである。
【００４０】
【表２】
2019181313.tif 000004
【００４１】
まず、フロリナートＦＣ７２で屎尿を懸濁した場合に、液体成分を蒸発させるために必要なエネルギーは、フロリナートＦＣ７２を蒸発させるために必要なエネルギーＱFと、屎尿由来の水を蒸発させるために必要なエネルギーＱEとの合計ＱTOTALとなる。これらは、上記表２の物性値から、それぞれ以下のとおり計算される。
【００４２】
ＱF＝１０（Ｌ）×０．００１（ｍ３）×１６８０（ｋｇ／ｍ３）×｛１．０５（ｋＪ／ｋｇＫ）×（５６−２５）（Ｋ）＋８８（ｋＪ／ｋｇ）｝＝２０２５ｋＪ
【００４３】
ＱE＝（０．３（ｋｇ）×０．８＋０．３（ｋｇ））×｛４．２（ｋＪ／ｋｇＫ）×（１００−２５）（Ｋ）＋２２５０（ｋＪ／ｋｇ）｝＝１３８５ｋＪ
【００４４】
ＱTOTAL＝ＱF＋ＱE＝３４１０ｋＪ
【００４５】
一方、水で屎尿を懸濁した場合に、液体成分を蒸発させるために必要なエネルギーは、輸送に用いた水１０Ｌを蒸発させるために必要なエネルギーＱWと、屎尿由来の水を蒸発させるために必要なエネルギーＱEとの合計ＱTOTALとなる。これらは、上記表２の物性値から、それぞれ以下のとおり計算される。
【００４６】
ＱW＝１０（Ｌ）×０．００１（ｍ３）×１０００（ｋｇ／ｍ３）×｛４．２（ｋＪ／ｋｇＫ）×（１００−２５）（Ｋ）＋２２５０（ｋＪ／ｋｇ）｝＝２５６５０ｋＪ
【００４７】
ＱE＝１３８５ｋＪ
【００４８】
ＱTOTAL＝ＱW＋ＱE＝２７０３５ｋＪ
【００４９】
以上のとおり、屎尿の輸送に用いる液体を水から同体積のフロリナートＦＣ７２にすることで、屎尿由来の固形成分を得るために必要なエネルギーを、約８７％（＝（２７０３５−３４１０）／２７０３５×１００）削減することが可能となる。
【００５０】
上記の計算結果に鑑み、以下の各実施形態においては、フロリナートＦＣ７２を液体媒体３０として使用することとした。
【００５１】
（３）第一の実施の形態
本発明の第一の実施の形態に係る屎尿輸送システム１０は、図１に示す模式図のように、屎尿４０と液体媒体３０とを混合し破砕して混合液体３５とするとともにこれを輸送する遠心ポンプ５０と、輸送された混合液体３５を貯留する一次貯留手段１３と、この混合液体３５を加熱する加熱手段１４と、加熱された混合液体３５から発した混合蒸気３６（図２Ｅ参照）により発電を行う発電手段１５と、発電後の混合蒸気３６を冷却する冷却手段１６と、冷却されて液化した液体媒体３０及び水分４１を貯留する二次貯留手段１７と、液体媒体３０を再び遠心ポンプ５０へ環流させる環流手段１８と、を備える。なお、図１中の白抜き矢印は流体の移動方向を示す。
【００５２】
遠心ポンプ５０は、流体の圧力を高めるために図示しない羽根車をモーター５１で回転させて、その回転による遠心力を用いるポンプである。この遠心ポンプ５０には、流入路２０を介して屎尿４０が流入するとともに、環流路２７を介して液体媒体３０も流入する。なお、流入路２０の上流側には、たとえば、トイレの排水路のような、屎尿４０が水によって排出される施設が設けられている。また、環流路２７の上流側には、環流手段１８が位置するが、これについては後述する。
【００５３】
遠心ポンプ５０の中では、前記した羽根車の回転により、屎尿４０が液体媒体３０と混合されて破砕される。これによって破砕された屎尿４０が液体媒体３０に懸濁されて混合液体３５となる。この意味で、遠心ポンプ５０は破砕手段１１として機能することになる。
【００５４】
この混合液体３５は同時に、前記した羽根車の回転による遠心力で、下流の輸送路２１へ排出され、一次貯留手段１３まで輸送されることになる。この意味で、遠心ポンプ５０は輸送手段としても機能することになる。
【００５５】
一次貯留手段１３としては、上流側に逆止弁２２を介して前記輸送路２１が接続され、かつ、下流側にリリーフ弁２５を介して排気路２４が接続された貯蔵タンクが用いられる。
【００５６】
逆止弁２２は、後述するように一次貯留手段１３の内圧が高まった際に、貯蔵する混合液体３５が上流側の前記遠心ポンプ５０へ逆流することを防いでいる。逆止弁２２としては、あらかじめ所定の圧力が上流側からかかった場合に自動的に開放する方式のものが用いられている。具体的には、逆止弁２２の上流側の圧力と下流側の圧力との差が所定のクラッキング圧を上回った場合に逆止弁２２が開放する。なお、外部からの制御で開閉が制御される方式の弁を逆止弁２２の代わりに用いることとしてもよい。
【００５７】
一次貯留手段１３の下流側に位置する排気路２４には、一次貯留手段１３の内圧が所定の値となった際に開放するリリーフ弁２５が設置されている。また、一次貯留手段１３の内圧を検知する圧力センサ２３も設置されている。この圧力センサ２３で検知された内圧は図示しない外部の制御装置へ入力され、それにより本実施形態の屎尿輸送システム１０のフィードバック制御が行われる。たとえば、リリーフ弁２５に何らかの異常が生じて一次貯留手段１３の内圧が所定の値以上となった際には、屎尿輸送システム１０を停止させることができる。なお、この圧力センサ２３で検知された一次貯留手段１３の内圧の値によって開閉を制御可能な弁をこのリリーフ弁２５の代わりに用いることとしてもよい。
【００５８】
加熱手段１４は、太陽光Ｓを集光するレンズ６０を備え、このレンズで集光された太陽光Ｓにより生じた太陽熱Ｈによって、前記一次貯留手段１３の内部の温度を上昇させる。この加熱手段１４は、天候にも依存するが、晴天の場合の昼間には１００℃を超える温度に加熱することが可能である。なお、この加熱手段１４としては、太陽光Ｓを利用するものの他に、廃熱を利用するものであってもよく、また、適宜の燃料を燃焼させて熱エネルギーを得るものであってもよい。このような燃料を利用する加熱手段１４としては、ガス、石油、石炭、薪のような燃料を熱源とするものはもちろん、後述するように本システムによって得られる屎尿４０の固形成分４２（図２Ｆ参照）を燃料として再利用することが可能なものを使用することとしてもよい。
【００５９】
加熱手段１４により一次貯留手段１３の内部温度が上昇して内圧が高まると、前述のようにリリーフ弁２５が開放して混合蒸気３６が排気路２４を経て発電手段１５へ至る。
【００６０】
ここで、一次貯留手段１３への混合液体３５の流入から、一次貯留手段１３からの混合上記の排出後までを、図２（Ａ）〜（Ｆ）を参照して説明する。
【００６１】
図２（Ａ）に示すように、一次貯留手段１３が空の状態においては、逆止弁２２もリリーフ弁２５もいずれも閉鎖している。
【００６２】
この状態で、遠心ポンプ５０が混合液体３５を輸送路２１へ輸送し始めると、輸送路２１における逆止弁２２の上流側の圧力が高まる。これに伴い逆止弁２２の上流側の圧力と下流側の圧力（この状態では、大気圧）との差がクラッキング圧を上回り、図２（Ｂ）に示すように逆止弁２２が開放し、輸送路２１から混合液体３５が一次貯留手段１３の内部へ流入する。
【００６３】
図２（Ｃ）に示すように一次貯留手段１３が混合液体３５で満たされると、逆止弁２２の下流側の圧力も高まるため、逆止弁２２の上流側の圧力と下流側の圧力との差がクラッキング圧を下回り、逆止弁２２は再び閉鎖する。この状態では当然さらなる混合液体３５の流入は不可能である。なお、前述のとおり、本実施形態では輸送手段１２として破砕手段１１を兼ねた遠心ポンプ５０が使用されているため、逆止弁２２が閉鎖した状態でも内部の羽根車が空回りするだけであり、輸送路２１の内部の圧力が必要以上に上昇することは避けられる。
【００６４】
ここで、混合液体３５を構成する液体媒体３０は、前述のとおり水及び油脂並びに屎尿４０とは相溶性がなく、かつ、密度は水より高い。よって、図２（Ｃ）に示す状態からしばらく静置すると、図２（Ｄ）に示すように、水分を含めた屎尿４０の成分が上層となり、液体媒体３０は下層となって明瞭に相分離する。
【００６５】
図２（Ｄ）に示す状態において、前記加熱手段１４により加熱がされると、一次貯留手段１３の内部温度が５６℃を上回ったところで液体媒体３０が気化し始める。さらに内部温度が１００℃を上回ると、屎尿４０の成分のうち水分も気化し、図２（Ｅ）に示すように、一次貯留手段１３の内部は液体媒体３０の蒸気と水分の蒸気とが混合した混合蒸気３６で満たされる。この状態に至るまでに、一次貯留手段１３の内圧は高まり、これにより前記リリーフ弁２５が開放し、混合蒸気３６は排気路２４から発電手段１５へ向け排出される。
【００６６】
図２（Ｆ）に示すように、一次貯留手段１３から混合蒸気３６が排出されると、内圧は再び低下し、前記リリーフ弁２５は再び閉鎖する。そして、屎尿４０から水分が除去され乾燥した状態の固形成分４２が一次貯留手段１３の中に残留する。この固形成分４２は、１００℃以上の高温に暴露された後のため屎尿４０中の細菌等の微生物が死滅した衛生的な状態となっている。
【００６７】
この図２（Ｆ）に示す状態から、固形成分４２が残留したまま、再び図２（Ｂ）に示すように混合液体３５が一次貯留手段１３に流入し、前の固形成分４２と混合した状態で上記の工程が繰り返される。
【００６８】
なお、図２（Ｆ）に示す固形成分４２は新たな混合液体３５の流入のたびに徐々に蓄積されていくため、ある程度の量の固形成分４２が蓄積された時点で、新たな混合液体３５の流入を止めて、固形成分４２を一次貯留手段１３から回収することが望ましい。回収された固形成分４２は肥料や燃料としての再利用が可能である。なお、前述したように、この固形成分４２を、前記加熱手段１４の燃料とすることも可能である。
【００６９】
図１に示すように、発電手段１５は、タービン１５Ａとこれに連動するジェネレータ１５Ｂとを備える。上述したように前記排気路２４から供給された混合蒸気３６によってタービン１５Ａを回転させることによって、これと連動したジェネレータ１５Ｂの回転で発電がなされる。なお、この発電手段１５によって生じた電気Ｅは、前記遠心ポンプ５０のモーター５１や、後述する環流手段１８の動力源として再利用することとしてもよい。
【００７０】
前記発電手段１５で前記タービン１５Ａの回転に供された後の混合蒸気３６は、回収路２６の途中に設けられた、冷却手段１６としての熱交換器により冷却されて再度液化する。冷却手段１６に受け渡された熱エネルギーは、たとえば暖房や給湯等の他の用途に利用することも可能であるが、前記加熱手段１４が廃熱を利用するものである場合、その熱源として再利用することも可能である。
【００７１】
二次貯留手段１７は、前記混合蒸気３６が前記冷却手段１６により冷却されて、再び液化した液体媒体３０及び屎尿４０由来の水分４１を貯留するタンクである。これら再び液化した液体媒体３０及び屎尿４０由来の水分４１は、前記回収路２６から二次貯留手段１７へ流入する。
【００７２】
二次貯留手段１７に貯留された前記液体媒体３０及び水分４１は、しばらく静置すると前述したように、液体媒体３０が下層をなし、水分４１が上層をなすように相分離する。比較的密度の低い水分４１は上層をなし、二次貯留手段１７の上部付近に設けられた排水路２８から外部へ排出される。
【００７３】
排水路２８から排出された水分４１は、工業用水への再利用が可能である。また、前述した、遠心ポンプ５０へ流入する流入路２０の上流に位置するトイレにおいて、屎尿４０を流すための水として再利用することとしてもよい。
【００７４】
一方、二次貯留手段１７の内部において、比較的密度の高い液体媒体３０は下層をなし、二次貯留手段１７の下部付近に設けられた環流路２７を介して環流手段１８へ至る。本実施形態においては環流手段１８はポンプにより構成される。容積ポンプ又は非容積ポンプのいずれもこの環流手段１８として使用可能である。
【００７５】
この環流手段１８によって、液体媒体３０は環流路２７を介して再び遠心ポンプ５０へ供給され、再び屎尿４０との混合に供される。
【００７６】
（４）第二の実施の形態
本発明の第二の実施の形態に係る屎尿輸送システム１０は、図３に示す模式図のように、屎尿４０と液体媒体３０とを混合し破砕して混合液体３５とするとともにこれを輸送する遠心ポンプ５０と、輸送された混合液体３５を貯留する複数の一次貯留手段１３と、この混合液体３５を加熱する加熱手段１４と、加熱された混合液体３５から発した混合蒸気３６（図２Ｅ参照）により発電を行う発電手段１５と、発電後の混合蒸気３６を冷却する冷却手段１６と、冷却されて液化した液体媒体３０及び水分４１を貯留する二次貯留手段１７と、液体媒体３０を再び遠心ポンプ５０へ環流させる環流手段１８と、を備える。なお、図２中の白抜き矢印は流体の移動方向を示す。また、本実施形態においては、加熱手段１４の図示は省略しているが、前記第一の実施形態と同様に設けられている。
【００７７】
本実施形態においては、前記複数の一次貯留手段１３は、遠心ポンプ５０から発電手段１５に至る流路に対して並列に配置されているとともに、各一次貯留手段１３への混合液体３５の流入経路を切り替える切替装置２９も設けられている。
【００７８】
遠心ポンプ５０は、流体の圧力を高めるために図示しない羽根車をモーター５１で回転させて、その回転による遠心力を用いるポンプである。この遠心ポンプ５０には、流入路２０を介して屎尿４０が流入するとともに、環流路２７を介して液体媒体３０も流入する。なお、流入路２０の上流側には、たとえば、トイレの排水路のような、屎尿４０が水によって排出される施設が設けられている。また、環流路２７の上流側には、環流手段１８が位置するが、これについては後述する。
【００７９】
遠心ポンプ５０の中では、前記した羽根車の回転により、屎尿４０が液体媒体３０と混合されて破砕される。これによって破砕された屎尿４０が液体媒体３０に懸濁されて混合液体３５となる。この意味で、遠心ポンプ５０は破砕手段１１として機能することになる。
【００８０】
この混合液体３５は同時に、前記した羽根車の回転による遠心力で、下流の輸送路２１へ排出され、一次貯留手段１３まで輸送されることになる。この意味で、遠心ポンプ５０は輸送手段としても機能することになる。
【００８１】
輸送路２１の途中に設けられた切替装置２９は、混合液体３５の流路を切り替えることで、いずれかの一次貯留手段１３に混合液体３５を流入させる。
【００８２】
一次貯留手段１３としては、上流側に逆止弁２２を介して前記輸送路２１が接続され、かつ、下流側にリリーフ弁２５を介して排気路２４が接続された貯蔵タンクが用いられる。
【００８３】
逆止弁２２は、後述するように一次貯留手段１３の内圧が高まった際に、貯蔵する混合液体３５が上流側の前記遠心ポンプ５０へ逆流することを防いでいる。逆止弁２２としては、あらかじめ所定の圧力が上流側からかかった場合に自動的に開放する方式のものが用いられている。具体的には、逆止弁２２の上流側の圧力と下流側の圧力との差が所定のクラッキング圧を上回った場合に逆止弁２２が開放する。なお、外部からの制御で開閉が制御される方式の弁を逆止弁２２の代わりに用いることとしてもよい。
【００８４】
一次貯留手段１３の下流側に位置する排気路２４には、一次貯留手段１３の内圧が所定の値となった際に開放するリリーフ弁２５が設置されている。また、一次貯留手段１３の内圧を検知する圧力センサ２３も設置されている。この圧力センサ２３で検知された内圧は図示しない外部の制御装置へ入力され、それにより本実施形態の屎尿輸送システム１０のフィードバック制御が行われる。たとえば、リリーフ弁２５に何らかの異常が生じて一次貯留手段１３の内圧が所定の値以上となった際には、屎尿輸送システム１０を停止させることができる。なお、この圧力センサ２３で検知された一次貯留手段１３の内圧の値によって開閉を制御可能な弁をこのリリーフ弁２５の代わりに用いることとしてもよい。
【００８５】
加熱手段１４は、太陽光Ｓを集光するレンズ６０を備え、このレンズで集光された太陽光Ｓにより生じた太陽熱Ｈによって、前記一次貯留手段１３の内部の温度を上昇させる。この加熱手段１４は、天候にも依存するが、晴天の場合の昼間には１００℃を超える温度に加熱することが可能である。なお、この加熱手段１４としては、太陽光Ｓを利用するものの他に、廃熱を利用するものであってもよく、また、適宜の燃料を燃焼させて熱エネルギーを得るものであってもよい。このような燃料を利用する加熱手段１４としては、ガス、石油、石炭、薪のような燃料を熱源とするものはもちろん、後述するように本システムによって得られる屎尿４０の固形成分４２（図２Ｆ参照）を燃料として再利用することが可能なものを使用することとしてもよい。
【００８６】
加熱手段１４により一次貯留手段１３の内部温度が上昇して内圧が高まると、前述のようにリリーフ弁２５が開放して混合蒸気３６が排気路２４を経て発電手段１５へ至る。
【００８７】
ここで、一次貯留手段１３への混合液体３５の流入から、一次貯留手段１３からの混合上記の排出後までを、図２（Ａ）〜（Ｆ）を参照して説明する。
【００８８】
図２（Ａ）に示すように、一次貯留手段１３が空の状態においては、逆止弁２２もリリーフ弁２５もいずれも閉鎖している。
【００８９】
この状態で、遠心ポンプ５０が混合液体３５を輸送路２１へ輸送し始めると、輸送路２１における逆止弁２２の上流側の圧力が高まる。これに伴い逆止弁２２の上流側の圧力と下流側の圧力（この状態では、大気圧）との差がクラッキング圧を上回り、図２（Ｂ）に示すように逆止弁２２が開放し、輸送路２１から混合液体３５が一次貯留手段１３の内部へ流入する。
【００９０】
図２（Ｃ）に示すように一次貯留手段１３が混合液体３５で満たされると、逆止弁２２の下流側の圧力も高まるため、逆止弁２２の上流側の圧力と下流側の圧力との差がクラッキング圧を下回り、逆止弁２２は再び閉鎖する。この状態では当然さらなる混合液体３５の流入は不可能である。本実施形態では、この状態に至ると、前記切替装置２９が、輸送路２１における混合液体３５の流路を切り替え、別の一次貯留手段１３へ混合液体３５を流入させることで、バッチ的な切り替え処理が可能となっている。
【００９１】
ここで、混合液体３５を構成する液体媒体３０は、前述のとおり水及び油脂並びに屎尿４０とは相溶性がなく、かつ、密度は水より高い。よって、図２（Ｃ）に示す状態からしばらく静置すると、図２（Ｄ）に示すように、水分を含めた屎尿４０の成分が上層となり、液体媒体３０は下層となって明瞭に相分離する。
【００９２】
図２（Ｄ）に示す状態において、前記加熱手段１４により加熱がされると、一次貯留手段１３の内部温度が５６℃を上回ったところで液体媒体３０が気化し始める。さらに内部温度が１００℃を上回ると、屎尿４０の成分のうち水分も気化し、図２（Ｅ）に示すように、一次貯留手段１３の内部は液体媒体３０の蒸気と水分の蒸気とが混合した混合蒸気３６で満たされる。この状態に至るまでに、一次貯留手段１３の内圧は高まり、これにより前記リリーフ弁２５が開放し、混合蒸気３６は排気路２４から発電手段１５へ向け排出される。
【００９３】
図２（Ｆ）に示すように、一次貯留手段１３から混合蒸気３６が排出されると、内圧は再び低下し、前記リリーフ弁２５は再び閉鎖する。そして、屎尿４０から水分が除去され乾燥した状態の固形成分４２が一次貯留手段１３の中に残留する。この固形成分４２は、１００℃以上の高温に暴露された後のため屎尿４０中の細菌等の微生物が死滅した衛生的な状態となっている。
【００９４】
この図２（Ｆ）に示す状態から、固形成分４２が残留したまま、再び図２（Ｂ）に示すように混合液体３５が一次貯留手段１３に流入し、前の固形成分４２と混合した状態で上記の工程が繰り返される。
【００９５】
なお、図２（Ｆ）に示す固形成分４２は新たな混合液体３５の流入のたびに徐々に蓄積されていくため、ある程度の量の固形成分４２が蓄積された時点で、新たな混合液体３５の流入を止めて、固形成分４２を一次貯留手段１３から回収することが望ましい。
【００９６】
本実施形態においては、この図２（Ｆ）に示す状態とは並列的に、別の一次貯留手段１３において混合液体の流入が行われているようにすることが可能である。よって、この図２（Ｆ）の状態に至った一次貯留手段１３において、再び混合液体３５を流入させるまでの間に、残留した固形成分４２の回収作業を行うことが可能である。
【００９７】
回収された固形成分４２は肥料や燃料としての再利用が可能である。なお、前述したように、この固形成分４２を、前記加熱手段１４の燃料とすることも可能である。
【００９８】
図３に示すように、発電手段１５は、タービン１５Ａとこれに連動するジェネレータ１５Ｂとを備える。上述したように前記排気路２４から供給された混合蒸気３６によってタービン１５Ａを回転させることによって、これと連動したジェネレータ１５Ｂの回転で発電がなされる。なお、この発電手段１５によって生じた電気Ｅは、前記遠心ポンプ５０のモーター５１や、後述する環流手段１８の動力源として再利用することとしてもよい。
【００９９】
前記発電手段１５で前記タービン１５Ａの回転に供された後の混合蒸気３６は、回収路２６の途中に設けられた、冷却手段１６としての熱交換器により冷却されて再度液化する。冷却手段１６に受け渡された熱エネルギーは、たとえば暖房や給湯等の他の用途に利用することも可能であるが、前記加熱手段１４が廃熱を利用するものである場合、その熱源として再利用することも可能である。
【０１００】
二次貯留手段１７は、前記混合蒸気３６が前記冷却手段１６により冷却されて、再び液化した液体媒体３０及び屎尿４０由来の水分４１を貯留するタンクである。これら再び液化した液体媒体３０及び屎尿４０由来の水分４１は、前記回収路２６から二次貯留手段１７へ流入する。
【０１０１】
二次貯留手段１７に貯留された前記液体媒体３０及び水分４１は、しばらく静置すると前述したように、液体媒体３０が下層をなし、水分４１が上層をなすように相分離する。比較的密度の低い水分４１は上層をなし、二次貯留手段１７の上部付近に設けられた排水路２８から外部へ排出される。
【０１０２】
排水路２８から排出された水分４１は、工業用水への再利用が可能である。また、前述した、遠心ポンプ５０へ流入する流入路２０の上流に位置するトイレにおいて、屎尿４０を流すための水として再利用することとしてもよい。
【０１０３】
一方、二次貯留手段１７の内部において、比較的密度の高い液体媒体３０は下層をなし、二次貯留手段１７の下部付近に設けられた環流路２７を介して環流手段１８へ至る。本実施形態においては環流手段１８はポンプにより構成される。容積ポンプ又は非容積ポンプのいずれもこの環流手段１８として使用可能である。
【０１０４】
この環流手段１８によって、液体媒体３０は環流路２７を介して再び遠心ポンプ５０へ供給され、再び屎尿４０との混合に供される。
【０１０５】
（５）第三の実施の形態
本発明の第一の実施の形態に係る屎尿輸送システム１０は、図４に示す模式図のように、屎尿４０と液体媒体３０とを混合し破砕して混合液体３５とする破砕手段１１と、この混合液体３５を輸送する輸送手段１２と、輸送された混合液体３５を貯留する一次貯留手段１３と、この混合液体３５を加熱する加熱手段１４と、加熱された混合液体３５から発した混合蒸気３６（図２Ｅ参照）により発電を行う発電手段１５と、発電後の混合蒸気３６を冷却する冷却手段１６と、冷却されて液化した液体媒体３０及び水分４１を貯留する二次貯留手段１７と、液体媒体３０を再び破砕手段１１へ環流させる環流手段１８と、を備える。なお、図１中の白抜き矢印は流体の移動方向を示す。また、本実施形態においては、加熱手段１４の図示は省略しているが、前記第一の実施形態と同様に設けられている。
【０１０６】
破砕手段１１は、その内部の図示しないブレードの回転により屎尿４０と液体媒体３０とをせん断することで、屎尿４０を液体媒体３０と混合させて破砕する装置である。これによって破砕された屎尿４０が液体媒体３０に懸濁されて混合液体３５となる。
【０１０７】
この破砕手段１１には、流入路２０を介して屎尿４０が流入するとともに、環流路２７を介して液体媒体３０も流入する。なお、流入路２０の上流側には、たとえば、トイレの排水路のような、屎尿４０が水によって排出される施設が設けられている。また、環流路２７の上流側には、環流手段１８が位置するが、これについては後述する。
【０１０８】
この混合液体３５は、輸送手段１２により破砕手段１１から下流の輸送路２１へ排出され、一次貯留手段１３まで輸送されることになる。容積ポンプ又は非容積ポンプのいずれもこの輸送手段１２として使用可能である。
【０１０９】
一次貯留手段１３としては、上流側に逆止弁２２を介して前記輸送路２１が接続され、かつ、下流側にリリーフ弁２５を介して排気路２４が接続された貯蔵タンクが用いられる。
【０１１０】
逆止弁２２は、後述するように一次貯留手段１３の内圧が高まった際に、貯蔵する混合液体３５が上流側の前記輸送手段１２へ逆流することを防いでいる。逆止弁２２としては、あらかじめ所定の圧力が上流側からかかった場合に自動的に開放する方式のものが用いられている。具体的には、逆止弁２２の上流側の圧力と下流側の圧力との差が所定のクラッキング圧を上回った場合に逆止弁２２が開放する。なお、外部からの制御で開閉が制御される方式の弁を逆止弁２２の代わりに用いることとしてもよい。
【０１１１】
一次貯留手段１３の下流側に位置する排気路２４には、一次貯留手段１３の内圧が所定の値となった際に開放するリリーフ弁２５が設置されている。また、一次貯留手段１３の内圧を検知する圧力センサ２３も設置されている。この圧力センサ２３で検知された内圧は図示しない外部の制御装置へ入力され、それにより本実施形態の屎尿輸送システム１０のフィードバック制御が行われる。たとえば、リリーフ弁２５に何らかの異常が生じて一次貯留手段１３の内圧が所定の値以上となった際には、屎尿輸送システム１０を停止させることができる。なお、この圧力センサ２３で検知された一次貯留手段１３の内圧の値によって開閉を制御可能な弁をこのリリーフ弁２５の代わりに用いることとしてもよい。
【０１１２】
加熱手段１４は、太陽光Ｓを集光するレンズ６０を備え、このレンズで集光された太陽光Ｓにより生じた太陽熱Ｈによって、前記一次貯留手段１３の内部の温度を上昇させる。この加熱手段１４は、天候にも依存するが、晴天の場合の昼間には１００℃を超える温度に加熱することが可能である。なお、この加熱手段１４としては、太陽光Ｓを利用するものの他に、廃熱を利用するものであってもよく、また、適宜の燃料を燃焼させて熱エネルギーを得るものであってもよい。このような燃料を利用する加熱手段１４としては、ガス、石油、石炭、薪のような燃料を熱源とするものはもちろん、後述するように本システムによって得られる屎尿４０の固形成分４２（図２Ｆ参照）を燃料として再利用することが可能なものを使用することとしてもよい。
【０１１３】
加熱手段１４により一次貯留手段１３の内部温度が上昇して内圧が高まると、前述のようにリリーフ弁２５が開放して混合蒸気３６が排気路２４を経て発電手段１５へ至る。
【０１１４】
ここで、一次貯留手段１３への混合液体３５の流入から、一次貯留手段１３からの混合上記の排出後までを、図２（Ａ）〜（Ｆ）を参照して説明する。
【０１１５】
図２（Ａ）に示すように、一次貯留手段１３が空の状態においては、逆止弁２２もリリーフ弁２５もいずれも閉鎖している。
【０１１６】
この状態で、輸送手段１２が混合液体３５を輸送路２１へ輸送し始めると、輸送路２１における逆止弁２２の上流側の圧力が高まる。これに伴い逆止弁２２の上流側の圧力と下流側の圧力（この状態では、大気圧）との差がクラッキング圧を上回り、図２（Ｂ）に示すように逆止弁２２が開放し、輸送路２１から混合液体３５が一次貯留手段１３の内部へ流入する。
【０１１７】
図２（Ｃ）に示すように一次貯留手段１３が混合液体３５で満たされると、逆止弁２２の下流側の圧力も高まるため、逆止弁２２の上流側の圧力と下流側の圧力との差がクラッキング圧を下回り、逆止弁２２は再び閉鎖する。この状態では当然さらなる混合液体３５の流入は不可能である。なお、本実施形態において、輸送手段１２として遠心ポンプのような非容積ポンプが使用されている場合には、逆止弁２２が閉鎖した状態でも内部の羽根車が空回りするだけであり、輸送路２１の内部の圧力が必要以上に上昇することは避けられる。
【０１１８】
一方、輸送手段１２として容積ポンプが使用されている場合には、一次貯留手段１３が混合液体３５で満たされた状態ではその作動を停止するよう制御することが望ましい。なお、前記第二の実施の形態のように、一次貯留手段１３を並列に設けて前記したようなバッチ的な処理を行うときには、輸送手段１２の作動をあえて停止する必要はない。
【０１１９】
ここで、混合液体３５を構成する液体媒体３０は、前述のとおり水及び油脂並びに屎尿４０とは相溶性がなく、かつ、密度は水より高い。よって、図２（Ｃ）に示す状態からしばらく静置すると、図２（Ｄ）に示すように、水分を含めた屎尿４０の成分が上層となり、液体媒体３０は下層となって明瞭に相分離する。
【０１２０】
図２（Ｄ）に示す状態において、前記加熱手段１４により加熱がされると、一次貯留手段１３の内部温度が５６℃を上回ったところで液体媒体３０が気化し始める。さらに内部温度が１００℃を上回ると、屎尿４０の成分のうち水分も気化し、図２（Ｅ）に示すように、一次貯留手段１３の内部は液体媒体３０の蒸気と水分の蒸気とが混合した混合蒸気３６で満たされる。この状態に至るまでに、一次貯留手段１３の内圧は高まり、これにより前記リリーフ弁２５が開放し、混合蒸気３６は排気路２４から発電手段１５へ向け排出される。
【０１２１】
図２（Ｆ）に示すように、一次貯留手段１３から混合蒸気３６が排出されると、内圧は再び低下し、前記リリーフ弁２５は再び閉鎖する。そして、屎尿４０から水分が除去され乾燥した状態の固形成分４２が一次貯留手段１３の中に残留する。この固形成分４２は、１００℃以上の高温に暴露された後のため屎尿４０中の細菌等の微生物が死滅した衛生的な状態となっている。
【０１２２】
この図２（Ｆ）に示す状態から、固形成分４２が残留したまま、再び図２（Ｂ）に示すように混合液体３５が一次貯留手段１３に流入し、前の固形成分４２と混合した状態で上記の工程が繰り返される。
【０１２３】
なお、図２（Ｆ）に示す固形成分４２は新たな混合液体３５の流入のたびに徐々に蓄積されていくため、ある程度の量の固形成分４２が蓄積された時点で、新たな混合液体３５の流入を止めて、固形成分４２を一次貯留手段１３から回収することが望ましい。回収された固形成分４２は肥料や燃料としての再利用が可能である。なお、前述したように、この固形成分４２を、前記加熱手段１４の燃料とすることも可能である。
【０１２４】
図４に示すように、発電手段１５は、タービン１５Ａとこれに連動するジェネレータ１５Ｂとを備える。上述したように前記排気路２４から供給された混合蒸気３６によってタービン１５Ａを回転させることによって、これと連動したジェネレータ１５Ｂの回転で発電がなされる。なお、この発電手段１５によって生じた電気Ｅは、前記破砕手段１１及び輸送手段１２や、後述する環流手段１８の動力源として再利用することとしてもよい。
【０１２５】
前記発電手段１５で前記タービン１５Ａの回転に供された後の混合蒸気３６は、回収路２６の途中に設けられた、冷却手段１６としての熱交換器により冷却されて再度液化する。冷却手段１６に受け渡された熱エネルギーは、たとえば暖房や給湯等の他の用途に利用することも可能であるが、前記加熱手段１４が廃熱を利用するものである場合、その熱源として再利用することも可能である。
【０１２６】
二次貯留手段１７は、前記混合蒸気３６が前記冷却手段１６により冷却されて、再び液化した液体媒体３０及び屎尿４０由来の水分４１を貯留するタンクである。これら再び液化した液体媒体３０及び屎尿４０由来の水分４１は、前記回収路２６から二次貯留手段１７へ流入する。
【０１２７】
二次貯留手段１７に貯留された前記液体媒体３０及び水分４１は、しばらく静置すると前述したように、液体媒体３０が下層をなし、水分４１が上層をなすように相分離する。比較的密度の低い水分４１は上層をなし、二次貯留手段１７の上部付近に設けられた排水路２８から外部へ排出される。
【０１２８】
排水路２８から排出された水分４１は、工業用水への再利用が可能である。また、前述した、破砕手段１１へ流入する流入路２０の上流に位置するトイレにおいて、屎尿４０を流すための水として再利用することとしてもよい。
【０１２９】
一方、二次貯留手段１７の内部において、比較的密度の高い液体媒体３０は下層をなし、二次貯留手段１７の下部付近に設けられた環流路２７を介して環流手段１８へ至る。本実施形態においては環流手段１８はポンプにより構成される。容積ポンプ又は非容積ポンプのいずれもこの環流手段１８として使用可能である。
【０１３０】
この環流手段１８によって、液体媒体３０は環流路２７を介して再び破砕手段１１へ供給され、再び屎尿４０との混合に供される。
【０１３１】
（６）まとめ
上記した各実施形態では、屎尿４０は発電そのものには関与しないが、屎尿４０を輸送する過程に、フロリナートＦＣ７２のようなフッ素液体である液体媒体３０を用いたいわゆるランキン発電サイクルを組み合わせることで、発電の過程で屎尿４０の輸送、乾燥及び回収が行われることになり、屎尿４０の衛生的な処理も可能となっている。
【０１３２】
また、一次貯留手段１３における混合液体３５の加熱を、太陽光Ｈを利用した加熱手段１４により行うことで、二酸化炭素の排出を伴わないエコロジカルな発電が可能となっている。なお、発電後の混合蒸気３６から冷却手段１６に受け渡された熱エネルギーを加熱手段１４の熱源とすれば、エネルギーのリサイクルが実現される。
【０１３３】
さらに、発電手段１５により得られた電気Ｅを、遠心ポンプ５０（又は破砕手段１１及び輸送手段１２）、加熱手段１４、環流手段１８の動力源とすることによっても、エネルギーのリサイクルが実現される。
【０１３４】
また、混合液体３５の加熱後に一次貯留手段１３に残された固形成分４２を、加熱手段１４の燃料に利用することで、資源のリサイクルも実現される。
【０１３５】
さらに、発電後の混合蒸気３６から冷却手段１６により得られた、屎尿４０由来の水分４１を、遠心ポンプ５０（又は破砕手段１１及び輸送手段１２）に流入する屎尿４０を流すトイレの水として再利用することによっても、資源のリサイクルが実現される。
【符号の説明】
【０１３６】
１０  屎尿輸送システム
１１  破砕手段
１２  輸送手段
１３  一次貯留手段
１４  加熱手段
１５  発電手段
１６  冷却手段
１７  二次貯留手段
１８  環流手段
３０  液体媒体
３５  混合液体
３６  混合蒸気
４０  屎尿
４１  水分
【図１】
2019181313.tif 000005
【図２】
2019181313.tif 000006
【図３】
2019181313.tif 000007
【図４】
2019181313.tif 000008